(57)【要約】      （修正有）【課題】汎用性があり、且つ、接続された表示装置の各々に表示する共通の映像信号を出力する。【解決手段】本発明の表示システムは、１番目からＮ番目（Ｎは２以上の整数）までこの順に接続されたＮ個の表示装置１０、２０、３０、４０を具備している。Ｎ個の表示装置１０、２０、３０、４０は、それぞれ、自己の表示仕様に適した表示仕様情報を格納する格納部２と、記憶部１と、データ処理部１とを備えている。  それぞれのデータ処理部１は、それぞれの格納部２から表示仕様情報を読み出し、最適表示仕様情報としてそれぞれの記憶部１に格納する。  第１表示装置の記憶部１に格納される第１最適表示仕様情報は、映像配信装置６０により参照され、Ｎ個の表示装置１０、２０、３０、４０の各々に表示する共通の映像信号が第１表示装置１０に送信される。【選択図】図２
2005309402.tif 000002
【特許請求の範囲】
【請求項１】
１番目からＮ番目（Ｎは２以上の整数）までこの順に接続され、それぞれ、自己の表示仕様に適した表示仕様情報を格納する格納部と、記憶部と、データ処理部とを備えたＮ個の表示装置を具備し、
第Ｎ表示装置の前記データ処理部は、前記第Ｎ表示装置の前記格納部から第Ｎ表示仕様情報を読み出し、第Ｎ最適表示仕様情報として前記第Ｎ表示装置の前記記憶部に格納し、
第Ｊ表示装置｛１≦Ｊ≦（Ｎ−１）｝の前記データ処理部は、前記第Ｊ表示装置の前記格納部から第Ｊ表示仕様情報を読み出し、第（Ｊ＋１）表示装置の記憶部から第（Ｊ＋１）最適表示仕様情報を読み出し、前記第Ｊ表示仕様情報と前記第（Ｊ＋１）最適表示仕様情報とに共通する第Ｊ最適表示仕様情報を生成し、前記第Ｊ最適表示仕様情報を前記第Ｊ表示装置の前記記憶部に格納する
表示システム。
【請求項２】
第１表示装置に接続される映像配信装置を更に具備し、
前記映像配信装置は、前記第１表示装置の前記記憶部に格納される第１最適表示仕様情報を参照して、前記Ｎ個の表示装置の各々に表示する共通の映像信号である第１映像信号を前記第１表示装置に送信する
請求項１に記載の表示システム。
【請求項３】
１番目からＮ番目の前記表示仕様情報は、それぞれ、１番目からＮ番目の前記表示装置に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である
請求項１又は２に記載の表示システム。
【請求項４】
前記ＥＤＩＤは、前記表示装置に適用される解像度、水平周波数、垂直周波数、ピクセルクロック周波数の少なくとも１つを含む
請求項３に記載の表示システム。
【請求項５】
前記Ｎ個の表示装置は、映像信号処理部と、ディスプレイとを更に備え、
前記第Ｊ表示装置の前記映像信号処理部は、第Ｊ映像信号を受信して前記第Ｊ表示装置の前記ディスプレイに表示すると共に、前記第Ｊ映像信号を第（Ｊ＋１）映像信号として前記第（Ｊ＋１）表示装置に送信し、
前記第Ｎ表示装置の前記映像信号処理部は、第Ｎ映像信号を受信して前記第Ｎ表示装置の前記ディスプレイに表示する
請求項１〜４のいずれかに記載の表示システム。
【請求項６】
１番目からＮ番目（Ｎは２以上の整数）までこの順に接続される表示装置であって、
自己の表示仕様に適した表示仕様情報を格納する格納部と、
記憶部と、
データ処理部とを具備し、
前記データ処理部は、
自己が第Ｎ表示装置である場合、前記格納部から第Ｎ表示仕様情報を読み出し、第Ｎ最適表示仕様情報として前記記憶部に格納し、
自己が第Ｊ表示装置｛１≦Ｊ≦（Ｎ−１）｝である場合、前記格納部から第Ｊ表示仕様情報を読み出し、第（Ｊ＋１）表示装置の記憶部から第（Ｊ＋１）最適表示仕様情報を読み出し、前記第Ｊ表示仕様情報と前記第（Ｊ＋１）最適表示仕様情報とに共通する第Ｊ最適表示仕様情報を生成し、前記第Ｊ最適表示仕様情報を前記記憶部に格納する
表示装置。
【請求項７】
前記データ処理部は、
自己が第１表示装置である場合、映像配信装置が、前記記憶部に格納される第１最適表示仕様情報を参照して、前記Ｎ個の表示装置の各々に表示する共通の映像信号である第１映像信号を送信するための格納完了通知を映像配信装置に出力する
請求項６に記載の表示装置。
【請求項８】
１番目からＮ番目の前記表示仕様情報は、それぞれ、１番目からＮ番目の前記表示装置に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である
請求項６又は７に記載の表示装置。
【請求項９】
前記ＥＤＩＤは、前記表示装置に適用される解像度、水平周波数、垂直周波数、ピクセルクロック周波数の少なくとも１つを含む
請求項８に記載の表示装置。
【請求項１０】
更に、
映像信号処理部と、
ディスプレイとを備え、
前記映像信号処理部は、
自己が前記第Ｊ表示装置である場合、第Ｊ映像信号を受信して前記ディスプレイに表示すると共に、前記第Ｊ映像信号を第（Ｊ＋１）映像信号として前記第（Ｊ＋１）表示装置に送信し、
自己が前記第Ｎ表示装置である場合、第Ｎ映像信号を受信して前記ディスプレイに表示する
請求項６〜９のいずれかに記載の表示装置。
【請求項１１】
１番目からＮ番目（Ｎは２以上の整数）までこの順に接続され、自己の表示仕様に適した表示仕様情報を保持する格納部と、記憶部とを備えたコンピュータとを具備するＮ個の表示装置の各々に適用され、映像信号の表示を支援するコンピュータプログラムであって、
自己が第Ｎ表示装置である場合、前記格納部から第Ｎ表示仕様情報を読み出し、第Ｎ最適表示仕様情報として前記記憶部に格納するステップと、
自己が第Ｊ表示装置｛１≦Ｊ≦（Ｎ−１）｝である場合、
前記格納部から第Ｊ表示仕様情報を読み出すステップと、
第（Ｊ＋１）表示装置の記憶部から第（Ｊ＋１）最適表示仕様情報を読み出すステップと、
前記第Ｊ表示仕様情報と前記第（Ｊ＋１）最適表示仕様情報とに共通する第Ｊ最適表示仕様情報を生成するステップと、
前記第Ｊ最適表示仕様情報を前記記憶部に格納するステップと
を前記コンピュータに実行させる表示支援プログラム。
【請求項１２】
自己が第１表示装置である場合、映像配信装置が、前記記憶部に格納される第１最適表示仕様情報を参照して、前記Ｎ個の表示装置の各々に表示する共通の映像信号である第１映像信号を送信するための格納完了通知を映像配信装置に出力するステップ
を更に前記コンピュータに実行させる請求項１１に記載の表示支援プログラム。
【請求項１３】
１番目からＮ番目の前記表示仕様情報は、それぞれ、１番目からＮ番目の前記表示装置に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である
請求項１１又は１２に記載の表示支援プログラム。
【請求項１４】
前記ＥＤＩＤは、前記表示装置に適用される解像度、水平周波数、垂直周波数、ピクセルクロック周波数の少なくとも１つを含む
請求項１３に記載の表示支援プログラム。
【請求項１５】
自己が前記第Ｊ表示装置である場合、第Ｊ映像信号を受信して表示すると共に、前記第Ｊ映像信号を第（Ｊ＋１）映像信号として前記第（Ｊ＋１）表示装置に送信するステップと、
自己が前記第Ｎ表示装置である場合、第Ｎ映像信号を受信して表示するステップと
を更に前記コンピュータに実行させる請求項１１〜１４のいずれかに記載の表示支援プログラム。
【請求項１６】
１番目からＮ番目（Ｎは２以上の整数）までこの順に接続され、自己の表示仕様に適した表示仕様情報を保持する格納部と、記憶部とを備えたＮ個の表示装置の各々に適用され、映像信号の表示を支援する方法であって、
自己が第Ｎ表示装置である場合、前記格納部から第Ｎ表示仕様情報を読み出し、第Ｎ最適表示仕様情報として前記記憶部に格納するステップと、
自己が第Ｊ表示装置｛１≦Ｊ≦（Ｎ−１）｝である場合、
前記格納部から第Ｊ表示仕様情報を読み出すステップと、
第（Ｊ＋１）表示装置の記憶部から第（Ｊ＋１）最適表示仕様情報を読み出すステップと、
前記第Ｊ表示仕様情報と前記第（Ｊ＋１）最適表示仕様情報とに共通する第Ｊ最適表示仕様情報を生成するステップと、
前記第Ｊ最適表示仕様情報を前記記憶部に格納するステップと
を具備する表示支援方法。
【請求項１７】
自己が第１表示装置である場合、映像配信装置が、前記記憶部に格納される第１最適表示仕様情報を参照して、前記Ｎ個の表示装置の各々に表示する共通の映像信号である第１映像信号を送信するための格納完了通知を映像配信装置に出力するステップ
を更に具備する請求項１６に記載の表示支援方法。
【請求項１８】
１番目からＮ番目の前記表示仕様情報は、それぞれ、１番目からＮ番目の前記表示装置に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である
請求項１６又は１７に記載の表示支援方法。
【請求項１９】
前記ＥＤＩＤは、前記表示装置に適用される解像度、水平周波数、垂直周波数、ピクセルクロック周波数の少なくとも１つを含む
請求項１８に記載の表示支援方法。
【請求項２０】
自己が前記第Ｊ表示装置である場合、第Ｊ映像信号を受信して表示すると共に、前記第Ｊ映像信号を第（Ｊ＋１）映像信号として前記第（Ｊ＋１）表示装置に送信するステップと、
自己が前記第Ｎ表示装置である場合、第Ｎ映像信号を受信して表示するステップと
を更に具備する請求項１６〜１９のいずれかに記載の表示支援方法。
【発明の詳細な説明】
【技術分野】
【０００１】
本発明は、映像配信装置から出力された映像信号を表示装置が表示する技術に関する。
【背景技術】
【０００２】
デジタル・インターフェイスを備え、デジタル信号を処理して、表示を行う表示装置が使用されている。表示装置は、ＰＣ（パーソナル・コンピュータ）に使用される場合や、ＣＥ機器（Ｃｏｎｓｕｍｅｒ  Ｅｌｅｃｔｒｏｎｉｃｓ＝民生機器）などに使用される場合がある。ここで、ＣＥ機器は、デジタル映像信号を表示装置に出力する機器である。ＣＥ機器としては、ＳＴＢ（デジタル放送用のセットトップボックス）、ＤＶＤプレーヤーが例示される。
【０００３】
デジタル・インターフェイスを備えた表示装置は、映像配信装置に表示仕様情報を送信する場合がある。表示仕様情報としては、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）が例示される。ＥＤＩＤは、表示装置の解像度、走査信号の情報、フレームレート、メーカー識別子、表示装置の識別子を含む。映像配信装置は、ＥＤＩＤを参照して、デジタル信号を表示装置の仕様に合う形式で出力する。このような機能は、いわゆるプラグアンドプレイ機能と呼ばれる。
【０００４】
映像配信装置から出力された映像信号は、複数の表示装置で出力表示を要求されることがある。そのような場合、多くは映像信号を分配する分配器が使用される。映像信号の分配を行う分配器は、映像配信装置に接続され、その映像配信装置から出力された信号を、分配器に接続された複数の表示装置に配信する。
映像配信装置から出力される映像信号は、表示仕様情報に基づいて、その表示装置の仕様に適したものが出力される。そのため、多くの映像配信装置は、表示装置から出力された表示仕様情報を読み取った後に、映像信号の出力処理を実行する。
【０００５】
そのような映像配信装置に映像信号の出力を行わせるために、上記のような分配器に、表示装置から出力された表示仕様情報の中継を行う機能を保有させ、その中継された表示仕様情報に基づいて、映像信号を出力する技術が知られている（例えば、特許文献１参照。）。
【０００６】
図１は、特許文献１に記載されたシステムとして、従来の表示システムの構成を示すブロック図である。従来の表示システムは、映像配信装置であるパーソナルコンピュータ１０３と、分配器であるビデオ信号分配器１０１と、表示装置である複数のモニタ１０７とを備えている。パーソナルコンピュータ１０３にはグラフィックカード１０５が装着されている。ビデオ信号分配器１０１は、グラフィックカード１０５からの映像信号であるビデオ信号を分配する。
【０００７】
ビデオ信号分配器１０１は、その入力側に設けられた入力側電源端子１０９、ビデオ信号端子１１１と、その出力側に設けられた複数のビデオ信号端子１１１ａ、１１１ｂ、１１１ｃ、１１１ｄ、複数の出力側電源端子１２２とを備えている。ビデオ信号分配器１０１は、更に、ビデオ信号分配回路１１７と、マイクロコンピュータ１１９とを備えている。
パーソナルコンピュータ１０３は、グラフィックカード１０５によって、入力側電源端子１０９を介して、マイクロコンピュータ１１９に電源を供給する。マイクロコンピュータ１１９は、それぞれ複数の出力側電源端子１２２を介して、複数のモニタ１０７に電源を供給する。
パーソナルコンピュータ１０３は、グラフィックカード１０５によって、ビデオ信号端子１１１を介して、ＲＧＢビデオ信号を含むビデオ信号をビデオ信号分配回路１１７に出力する。ビデオ信号分配回路１１７は、ビデオ信号端子１１１からのビデオ信号を分配し、それぞれ複数のビデオ信号端子１１１ａ、１１１ｂ、１１１ｃ、１１１ｄを介して複数のモニタ１０７に出力する。
【０００８】
ビデオ信号分配器１０１は、更に、その入力側に設けられたＨＰＤ（Ｈｏｔ  Ｐｌｕｇ  Ｄｅｔｅｃｔ）端子１１０、ＤＤＣデータ端子１１５と、その出力側に設けられた複数のＨＰＤ端子１２３とを備えている。
マイクロコンピュータ１１９は、それぞれ複数のＨＰＤ端子１２３を介して、複数のモニタ１０７の有無を検出して検出結果を生成する。マイクロコンピュータ１１９は、ＨＰＤ端子１１０を介して、検出結果をグラフィックカード１０５に出力する。
【０００９】
ビデオ信号分配器１０１は、更に、その入力側に設けられたＤＤＣ（Ｄｉｓｐｌａｙ  Ｄａｔａ  Ｃｈａｎｎｅｌ）クロック端子１１３と、その出力側に設けられた複数のＤＤＣクロック端子１２５、複数のＤＤＣデータ端子１２７とを備えている。ビデオ信号分配器１０１は、更に、メモリ１２１を備えている。また、複数のモニタ１０７の各々は、ＥＤＩＤが格納されたメモリ７ａを備えている。
【００１０】
マイクロコンピュータ１１９は、それぞれ、複数のＤＤＣクロック端子１２５を介して複数のモニタ１０７のメモリ７ａにアクセスし、それぞれ複数のＤＤＣデータ端子１２７を介して複数のモニタ１０７のメモリ７ａからＥＤＩＤを読み出す。マイクロコンピュータ１１９は、全てのモニタ１０７に共通するＥＤＩＤを抽出し、共通ＥＤＩＤとしてメモリ１２１に書き込む。メモリ１２１に書き込まれた共通ＥＤＩＤは、パーソナルコンピュータ１０３のグラフィックカード１０５によって参照可能である。この場合、パーソナルコンピュータ１０３は、グラフィックカード１０５によって、ＤＤＣクロック端子１１３を介して、シリアルクロック信号をメモリ１２１に出力する。メモリ１２１は、シリアルクロック信号に同期させて、ＤＤＣデータ端子１１５を介して、共通ＥＤＩＤを出力する。これにより、パーソナルコンピュータ１０３は、グラフィックカード１０５によって、接続されたすべてのモニタ１０７に対して、共通ＥＤＩＤを参照して、共通の映像信号を出力することができる。
【００１１】
【特許文献１】特許第３４０８７８１号公報
【発明の開示】
【発明が解決しようとする課題】
【００１２】
従来の表示システムでは、ビデオ信号分配器１０１は、それぞれ、複数のビデオ信号端子１１１ａ、１１１ｂ、１１１ｃ、１１１ｄ、複数の出力側電源端子１２２、複数のＨＰＤ端子１２３、複数のＤＤＣクロック端子１２５、複数のＤＤＣデータ端子１２７を介して、複数のモニタ１０７に接続されている。ビデオ信号分配器１０１が各モニタ１０７からＥＤＩＤを取得するために、ビデオ信号分配器１０１には、ビデオ信号分配器１０１とモニタ１０７とを配線するＨＰＤ端子１２３、ＤＤＣクロック端子１２５、ＤＤＣデータ端子１２７が必要になる。ビデオ信号分配器１０１に接続されるモニタ１０７の数が多くなるほど、それらを接続する端子が多くなる。即ち、ビデオ信号分配器１０１にモニタ１０７を配線するときの配線数が多くなり、配線コストが上がる。
【００１３】
このように、従来の表示システムでは、モニタ１０７をビデオ信号分配器１０１に接続する数だけ上記の端子群（ビデオ信号端子、出力側電源端子１２２、ＨＰＤ端子１２３、ＤＤＣクロック端子１２５、ＤＤＣデータ端子１２７）をビデオ信号分配器１０１の出力側に設けなければならない。即ち、Ｎ個（Ｎは２以上の整数）のモニタ１０７をビデオ信号分配器１０１に接続する必要がある場合、ビデオ信号分配器１０１の出力側に上記の端子群をＮ個設けなければならない。そのためには、ビデオ信号分配器１０１の実装面積を広くし、大型化する必要がある。その結果、配線コストが上がる上に、汎用性がない。
【００１４】
また、従来の表示システムでは、ビデオ信号分配器１０１の実装面積の規制により、ビデオ信号分配器１０１の出力側に設けることができるモニタ１０７の数が決められている場合がある。その数をＭ（Ｍは１以上の整数）としたとき、その数Ｍが上記Ｎよりも小さい場合、Ｎ個のモニタ１０７の全てをビデオ信号分配器１０１に接続することができない。その結果、汎用性がない。
【００１５】
本発明の課題は、汎用性があり、且つ、接続された表示装置の各々に表示する共通の映像信号を出力することができる技術を提供することにある。
【課題を解決するための手段】
【００１６】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１７】
本発明の表示システムは、１番目からＮ番目（Ｎは２以上の整数）までこの順に接続されたＮ個の表示装置（１０、２０、３０、４０）を具備している。前記Ｎ個の表示装置（１０、２０、３０、４０）は、それぞれ、自己の表示仕様に適した表示仕様情報を格納する格納部（２）と、記憶部（１）と、データ処理部（１）とを備えている。
第Ｎ表示装置の前記データ処理部（１）は、前記第Ｎ表示装置の前記格納部（２）から第Ｎ表示仕様情報を読み出し、第Ｎ最適表示仕様情報として前記第Ｎ表示装置の前記記憶部（１）に格納する。
第Ｊ表示装置｛１≦Ｊ≦（Ｎ−１）｝の前記データ処理部（１）は、前記第Ｊ表示装置の前記格納部（２）から第Ｊ表示仕様情報を読み出し、第（Ｊ＋１）表示装置の記憶部（１）から第（Ｊ＋１）最適表示仕様情報を読み出し、前記第Ｊ表示仕様情報と前記第（Ｊ＋１）最適表示仕様情報とに共通する第Ｊ最適表示仕様情報を生成し、前記第Ｊ最適表示仕様情報を前記第Ｊ表示装置の前記記憶部（１）に格納する。
【００１８】
本発明の表示システムは、第１表示装置（１０）に接続される映像配信装置（６０）を更に具備している。
前記映像配信装置（６０）は、前記第１表示装置の前記記憶部（１）に格納される第１最適表示仕様情報を参照して、前記Ｎ個の表示装置（１０、２０、３０、４０）の各々に表示する共通の映像信号である第１映像信号を前記第１表示装置（１０）に送信する。
【００１９】
本発明の表示システムにおいて、１番目からＮ番目の前記表示仕様情報は、それぞれ、１番目からＮ番目の前記表示装置（１０、２０、３０、４０）に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。
【００２０】
本発明の表示システムにおいて、前記ＥＤＩＤは、前記表示装置（１０、２０、３０、４０）に適用される解像度、水平周波数、垂直周波数、ピクセルクロック周波数の少なくとも１つを含む。
【００２１】
本発明の表示システムにおいて、前記Ｎ個の表示装置は、映像信号処理部（３）と、ディスプレイ（７）と更にを備えている。
前記第Ｊ表示装置の前記映像信号処理部（３）は、第Ｊ映像信号を受信して前記第Ｊ表示装置の前記ディスプレイ（７）に表示すると共に、前記第Ｊ映像信号を第（Ｊ＋１）映像信号として前記第（Ｊ＋１）表示装置に送信する。
前記第Ｎ表示装置の前記映像信号処理部（３）は、第Ｎ映像信号を受信して前記第Ｎ表示装置の前記ディスプレイ（７）に表示する。
【００２２】
本発明の表示装置は、１番目からＮ番目（Ｎは２以上の整数）までこの順に接続される。本発明の表示装置は、自己の表示仕様に適した表示仕様情報を格納する格納部（２）と、記憶部（１）と、データ処理部（１）とを具備している。
前記データ処理部（１）は、自己が第Ｎ表示装置であると認識する。この場合、前記データ処理部（１）は、前記格納部（２）から第Ｎ表示仕様情報を読み出し、第Ｎ最適表示仕様情報として前記記憶部（１）に格納する。
前記データ処理部（１）は、自己が第Ｊ表示装置｛１≦Ｊ≦（Ｎ−１）｝であると認識する。この場合、前記データ処理部（１）は、前記格納部（２）から第Ｊ表示仕様情報を読み出し、第（Ｊ＋１）表示装置の記憶部（１）から第（Ｊ＋１）最適表示仕様情報を読み出し、前記第Ｊ表示仕様情報と前記第（Ｊ＋１）最適表示仕様情報とに共通する第Ｊ最適表示仕様情報を生成し、前記第Ｊ最適表示仕様情報を前記記憶部（１）に格納する。
【００２３】
本発明の表示装置において、前記データ処理部（１）は、自己が第１表示装置であると認識する。この場合、前記データ処理部（１）は、格納完了通知を映像配信装置（６０）に出力する。前記格納完了通知は、映像配信装置（６０）が、前記記憶部（１）に格納される第１最適表示仕様情報を参照して、前記Ｎ個の表示装置（１０、２０、３０、４０）の各々に表示する共通の映像信号である第１映像信号を送信するための信号である。
【００２４】
本発明の表示装置において、１番目からＮ番目の前記表示仕様情報は、それぞれ、１番目からＮ番目の前記表示装置（１０、２０、３０、４０）に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。
【００２５】
本発明の表示装置において、前記ＥＤＩＤは、前記表示装置（１０、２０、３０、４０）に適用される解像度、水平周波数、垂直周波数、ピクセルクロック周波数の少なくとも１つを含む。
【００２６】
本発明の表示装置は、更に、映像信号処理部（３）と、ディスプレイ（７）とを備えている。
自己が前記第Ｊ表示装置である場合、前記映像信号処理部（３）は、第Ｊ映像信号を受信して前記ディスプレイ（７）に表示すると共に、前記第Ｊ映像信号を第（Ｊ＋１）映像信号として前記第（Ｊ＋１）表示装置に送信する。
自己が前記第Ｎ表示装置である場合、前記映像信号処理部（３）は、第Ｎ映像信号を受信して前記ディスプレイ（７）に表示する。
【００２７】
本発明の表示支援プログラム（１）は、１番目からＮ番目（Ｎは２以上の整数）までこの順に接続されたＮ個の表示装置（１０、２０、３０、４０）の各々に適用され、映像信号の表示を支援するコンピュータプログラムである。前記Ｎ個の表示装置（１０、２０、３０、４０）は、自己の表示仕様に適した表示仕様情報を保持する格納部（２）と、記憶部（１）とを具備している。
本発明の表示支援プログラム（１）は、自己が第Ｎ表示装置であると認識した場合、前記格納部（２）から第Ｎ表示仕様情報を読み出し、第Ｎ最適表示仕様情報として前記記憶部（１）に格納するステップを前記コンピュータに実行させる。
本発明の表示支援プログラム（１）は、自己が第Ｊ表示装置｛１≦Ｊ≦（Ｎ−１）｝であると認識した場合、前記格納部（２）から第Ｊ表示仕様情報を読み出すステップと、第（Ｊ＋１）表示装置の記憶部（１）から第（Ｊ＋１）最適表示仕様情報を読み出すステップと、前記第Ｊ表示仕様情報と前記第（Ｊ＋１）最適表示仕様情報とに共通する第Ｊ最適表示仕様情報を生成するステップと、前記第Ｊ最適表示仕様情報を前記記憶部（１）に格納するステップとを更に前記コンピュータに実行させる。
【００２８】
本発明の表示支援プログラム（１）は、自己が第１表示装置であると認識した場合、映像配信装置（６０）が、前記記憶部（１）に格納される第１最適表示仕様情報を参照して、前記Ｎ個の表示装置（１０、２０、３０、４０）の各々に表示する共通の映像信号である第１映像信号を送信するための格納完了通知を映像配信装置（６０）に出力するステップを更に前記コンピュータに実行させる。
【００２９】
本発明の表示支援プログラム（１）において、１番目からＮ番目の前記表示仕様情報は、それぞれ、１番目からＮ番目の前記表示装置（１０、２０、３０、４０）に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。
【００３０】
本発明の表示支援プログラム（１）において、前記ＥＤＩＤは、前記表示装置（１０、２０、３０、４０）に適用される解像度、水平周波数、垂直周波数、ピクセルクロック周波数の少なくとも１つを含む。
【００３１】
本発明の表示支援プログラム（１）は、自己が前記第Ｊ表示装置である場合、第Ｊ映像信号を受信して表示すると共に、前記第Ｊ映像信号を第（Ｊ＋１）映像信号として前記第（Ｊ＋１）表示装置に送信するステップと、自己が前記第Ｎ表示装置である場合、第Ｎ映像信号を受信して表示するステップとを更に前記コンピュータに実行させる。
【００３２】
本発明の表示支援方法は、１番目からＮ番目（Ｎは２以上の整数）までこの順に接続されたＮ個の表示装置（１０、２０、３０、４０）の各々に適用され、映像信号の表示を支援する方法である。前記Ｎ個の表示装置（１０、２０、３０、４０）は、自己の表示仕様に適した表示仕様情報を保持する格納部（２）と、記憶部（１）とを具備している。
本発明の表示支援方法は、自己が第Ｎ表示装置であると認識した場合、前記格納部（２）から第Ｎ表示仕様情報を読み出し、第Ｎ最適表示仕様情報として前記記憶部（１）に格納するステップを具備する。
本発明の表示支援方法は、自己が第Ｊ表示装置｛１≦Ｊ≦（Ｎ−１）｝であると認識した場合、前記格納部（２）から第Ｊ表示仕様情報を読み出すステップと、第（Ｊ＋１）表示装置の記憶部（１）から第（Ｊ＋１）最適表示仕様情報を読み出すステップと、前記第Ｊ表示仕様情報と前記第（Ｊ＋１）最適表示仕様情報とに共通する第Ｊ最適表示仕様情報を生成するステップと、前記第Ｊ最適表示仕様情報を前記記憶部（１）に格納するステップとを更に具備する。
【００３３】
本発明の表示支援方法は、自己が第１表示装置であると認識した場合、映像配信装置（６０）が、前記記憶部（１）に格納される第１最適表示仕様情報を参照して、前記Ｎ個の表示装置（１０、２０、３０、４０）の各々に表示する共通の映像信号である第１映像信号を送信するための格納完了通知を映像配信装置（６０）に出力するステップを更に具備する。
【００３４】
本発明の表示支援方法において、１番目からＮ番目の前記表示仕様情報は、それぞれ、１番目からＮ番目の前記表示装置（１０、２０、３０、４０）に適用されるＥＤＩＤ（Ｅｘｔｅｎｄｅｄ  Ｄｉｓｐｌａｙ  Ｉｄｅｎｔｉｆｉｃａｔｉｏｎ  Ｄａｔａ）である。
【００３５】
本発明の表示支援方法において、前記ＥＤＩＤは、前記表示装置（１０、２０、３０、４０）に適用される解像度、水平周波数、垂直周波数、ピクセルクロック周波数の少なくとも１つを含む。
【００３６】
本発明の表示支援方法は、自己が前記第Ｊ表示装置である場合、第Ｊ映像信号を受信して表示すると共に、前記第Ｊ映像信号を第（Ｊ＋１）映像信号として前記第（Ｊ＋１）表示装置に送信するステップと、自己が前記第Ｎ表示装置である場合、第Ｎ映像信号を受信して表示するステップとを更に具備する。
【発明の効果】
【００３７】
以上により、本発明によれば、表示装置を１番目から最終番目まで直列に接続することができるので、接続する表示装置をいくらでも増やすことができ、汎用性に優れている。また、上記の第１最適表示仕様情報により、接続された表示装置の各々に表示する共通の映像信号を出力することができる。このように、本発明によれば、汎用性があり、且つ、接続された表示装置の各々に表示する共通の映像信号を出力することができる。
【発明を実施するための最良の形態】
【００３８】
以下に添付図面を参照して、本発明の表示システムについて詳細に説明する。
【００３９】
図２は、本発明の表示システムの構成を示すブロック図である。本発明の表示システムは、映像配信装置６０と、複数の表示装置１０〜４０とを備えている。以下、複数の表示装置１０〜４０をそれぞれ第１表示装置１０、第２表示装置２０、第３表示装置３０、第４表示装置４０とも称する。図２に示される表示装置は４台であるが、これは、本実施の形態における表示装置の数を限定するものではない。
【００４０】
複数の表示装置１０〜４０の各々は、映像信号入力端子５と、映像信号出力端子６とを備えている。映像配信装置６０と第１表示装置１０と第２表示装置２０と第３表示装置３０と第４表示装置４０はこの順で直列に接続されている。即ち、映像配信装置６０は、第１表示装置１０の映像信号入力端子５に接続されている。第１表示装置１０の映像信号出力端子６は、第２表示装置２０の映像信号入力端子５に接続されている。第２表示装置２０の映像信号出力端子６は、第３表示装置３０の映像信号入力端子５に接続されている。第３表示装置３０の映像信号出力端子６は、第４表示装置４０の映像信号入力端子５に接続されている。
【００４１】
映像配信装置６０は、パーソナルコンピュータに代表される情報処理端末であり、複数の表示装置１０〜４０に表示させるための映像信号を出力する。まず、映像配信装置６０は、複数の表示装置１０〜４０による表示仕様情報を受信する。複数の表示装置１０〜４０の各々が表示仕様情報を送信する形態については後述する。表示仕様情報は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を含んでいる。ＥＤＩＤは、表示装置の解像度、水平周波数、垂直周波数、ピクセルクロック周波数、走査信号の情報、フレームレート、メーカー識別子、表示装置の識別子の少なくとも１つを含んでいる。映像配信装置６０は、そのＥＤＩＤを参照して、デジタル信号で映像信号を、各表示装置１０〜４０の仕様に合う形式で出力する。
【００４２】
なお、映像配信装置６０から送信された映像信号がデジタル信号である場合を例に述べるが、これは本発明の映像信号の形式を限定するものではない。複数の表示装置１０〜４０は、映像配信装置６０から出力された信号がアナログ信号であった場合、そのアナログ信号に対応してデータ処理を実行する。
【００４３】
複数の表示装置１０〜４０の各々は、更に、コンピュータと、ディスプレイ７とを備えている。コンピュータは、ＥＤＩＤデータ処理部１と、格納部であるＥＤＩＤ格納ＥＥＰＲＯＭ２と、映像信号処理部３と、ディスプレイモジュール部４と、ＣＰＵ（図示せず）とを備えている。ＥＤＩＤデータ処理部１、映像信号処理部３は、映像信号の表示を支援するコンピュータプログラムであり、ＣＰＵは、そのコンピュータプログラムを実行する。ＥＤＩＤデータ処理部１は、その内部に記憶領域を有する。映像信号処理部３は、映像信号レシーバ部（図示せず）と映像信号トランスミッタ部（図示せず）を含んでいる。表示装置１０〜４０のＥＤＩＤ格納ＥＥＰＲＯＭ２には、それぞれ、表示装置１０〜４０に適用される表示仕様に適した表示仕様情報が格納されている。
【００４４】
ここで、表示装置１０〜４０の構成は同じであるので、第１表示装置１０を例にして説明する。
【００４５】
第１表示装置１０は、映像配信装置６０から出力されたデジタル信号を、第１表示装置１０内の映像信号入力端子５を介して受信する。このデジタル信号は、エンコードされた表示情報を含んでいる。第１表示装置１０の映像信号処理部３は、内部の映像信号レシーバ部により、第１表示装置１０内の映像信号入力端子５から入力されるデジタル信号に応答して、デコード処理を行う。
【００４６】
第１表示装置１０の映像信号処理部３は、デコードされた映像信号に対して、さらに、第１表示装置１０のディスプレイ７に適切に表示するための画質改善処理、映像解像度変換処理等の信号処理を行う。そして、適切な信号処理を施された映像信号を、第１表示装置１０内のディスプレイモジュール部４へ出力する。また、第１表示装置１０の映像信号処理部３は、次段に接続された第２表示装置２０に映像信号を伝送するために、内部の映像信号トランスミッタ部により、その映像信号のエンコード処理を行う。エンコードされた映像信号は、第１表示装置１０内の映像信号出力端子６より次段の表示装置に伝送される。
【００４７】
第１表示装置１０のディスプレイモジュール部４には、第１表示装置１０内の映像信号処理部３から出力された映像デジタル信号が入力される。ディスプレイモジュール部４は、その映像デジタル信号を映像として実際に表示を行うディスプレイ７に対応するように、適切な信号に変換し、ディスプレイ７へ出力する。ディスプレイ７はそれによって映像配信装置６０から出力された映像を表示する。
【００４８】
第１表示装置１０のＥＤＩＤデータ処理部１は、第１表示装置１０のＥＤＩＤ格納ＥＥＰＲＯＭ２に格納されている表示仕様情報を読み取り、さらに、映像信号出力端子６に接続されている他の表示装置（第２表示装置２０）のＥＤＩＤデータ処理部１に保存されている表示仕様情報を読み取る。ＥＤＩＤデータ処理部１は、読み取った２つの表示仕様情報に共通する最適表示仕様情報を生成（もしくは選択）し、ＥＤＩＤデータ処理部１内部の所定の記憶領域に格納する。格納された最適表示仕様情報は、２台の表示装置１０、２０に同時に表示するための表示仕様情報であり、映像配信装置６０（または映像入力端子に接続されている表示装置）により読み出される。
【００４９】
次に、本発明の表示システムの動作について説明する。
以下の動作の説明では、第１表示装置１０が、映像配信装置６０から最初に接続されている表示装置として認識され、第２表示装置２０が、映像配信装置６０から２番目に接続されている表示装置として認識され、第３表示装置３０が、映像配信装置６０から３番目に接続されている表示装置として認識され、第４表示装置４０が、映像配信装置６０から４番目に接続されている表示装置として認識され、合計では、４台の表示装置が接続された状態として認識される場合を例に述べる。
【００５０】
また、各表示装置の接続状態の認識は、表示装置に備えられた任意の制御装置を用いた動作（リモートコントロール端末などからの接続状況認識開始動作）により、接続状態を把握することも可能である。
【００５１】
図３は、本発明の表示システムの動作を示すフローチャートである。本発明の表示システムの動作は、複数の表示装置１０〜４０が起動されると開始する（ステップＳ１）。第１表示装置１０〜第４表示装置４０の電源が投入されたことに応答して、各表示装置１０〜４０は互いに接続状態の監視動作を行う（ステップＳ２）。ステップＳ２において、この監視動作によって各々の表示装置は、映像配信装置６０を起点として、何段目に接続されているかを認識する。
【００５２】
第４表示装置４０のＥＤＩＤデータ処理部１は、映像配信装置６０を起点として最も末端に設置された表示装置であることを認識し、表示仕様情報の読み取り動作を実行する（ステップＳ３）。ステップＳ３において、第４表示装置４０のＥＤＩＤデータ処理部１は、第４表示装置４０のＥＤＩＤ格納ＥＥＰＲＯＭ２に格納されている第４表示装置４０における表示仕様情報を読み取る。第４表示装置４０のＥＤＩＤデータ処理部１は、読み取った第４表示装置４０における表示仕様情報を最適表示仕様情報として、そのＥＤＩＤデータ処理部１内部の記憶領域のうち、第３表示装置３０により読み出しが可能な記憶領域（所定の記憶領域）に格納する。第４表示装置４０のＥＤＩＤデータ処理部１は、第４表示装置４０における表示仕様情報を格納したとき、格納完了通知を第３表示装置３０に出力する。
【００５３】
第３表示装置３０のＣＰＵは、第４表示装置４０から出力された格納完了通知を受け取る（ステップＳ４）。ステップ４において、第３表示装置３０のＣＰＵは、その格納完了通知の受信に応答して、第３表示装置３０のＥＤＩＤデータ処理部１に対して表示仕様情報の読み取りを命令する。第３表示装置３０のＥＤＩＤデータ処理部１は、その命令に応答して、第３表示装置３０のＥＤＩＤ格納ＥＥＰＲＯＭ２に格納されている第３表示装置３０における表示仕様情報を読み取る。また、第３表示装置３０のＥＤＩＤデータ処理部１は、第４表示装置４０にアクセスし、第４表示装置４０のＥＤＩＤデータ処理部１の所定の記憶領域に格納された第４表示装置４０における最適表示仕様情報を読み取る。
【００５４】
ステップ４において、第３表示装置３０のＥＤＩＤデータ処理部１は、第４表示装置４０における表示仕様情報を読み取ったとき、第３表示装置３０における表示仕様情報と、第４表示装置４０における表示仕様情報に共通する最適表示仕様情報を生成（選択）し、そのＥＤＩＤデータ処理部１内部の記憶領域のうち、第２表示装置２０により読み出しが可能な記憶領域（所定の記憶領域）に格納する。格納された最適表示仕様情報は、２台の表示装置３０、４０に同時に表示するための表示仕様情報である。第３表示装置３０のＥＤＩＤデータ処理部１は、最適表示仕様情報を格納したとき、格納完了通知を第２表示装置２０に出力する。
【００５５】
第２表示装置２０のＣＰＵは、第３表示装置３０から出力された格納完了通知を受け取る（ステップＳ５）。ステップ５において、第２表示装置２０のＣＰＵは、その格納完了通知の受信に応答して、第２表示装置２０のＥＤＩＤデータ処理部１に対して表示仕様情報の読み取りを命令する。第２表示装置２０のＥＤＩＤデータ処理部１は、その命令に応答して、第２表示装置２０のＥＤＩＤ格納ＥＥＰＲＯＭ２に格納されている第２表示装置２０における表示仕様情報を読み取る。また、第２表示装置２０のＥＤＩＤデータ処理部１は、第３表示装置３０にアクセスし、第３表示装置３０のＥＤＩＤデータ処理部１の所定の記憶領域に格納された表示装置３０、４０における最適表示仕様情報を読み取る。
【００５６】
ステップ５において、第２表示装置２０のＥＤＩＤデータ処理部１は、表示装置３０、４０における表示仕様情報を読み取ったとき、第２表示装置２０における表示仕様情報と、表示装置３０、４０における表示仕様情報に共通する最適表示仕様情報を生成（選択）し、そのＥＤＩＤデータ処理部１内部の記憶領域のうち、第１表示装置１０により読み出しが可能な記憶領域（所定の記憶領域）に格納する。格納された最適表示仕様情報は、３台の表示装置２０、３０、４０に同時に表示するための表示仕様情報である。第２表示装置２０のＥＤＩＤデータ処理部１は、最適表示仕様情報を格納したとき、格納完了通知を第１表示装置１０に出力する。
【００５７】
第１表示装置１０のＣＰＵは、第２表示装置２０から出力された格納完了通知を受け取る（ステップＳ６）。ステップ６において、第１表示装置１０のＣＰＵは、その格納完了通知の受信に応答して、第１表示装置１０のＥＤＩＤデータ処理部１に対して表示仕様情報の読み取りを命令する。第１表示装置１０のＥＤＩＤデータ処理部１は、その命令に応答して、第１表示装置１０のＥＤＩＤ格納ＥＥＰＲＯＭ２に格納されている第１表示装置１０における表示仕様情報を読み取る。また、第１表示装置１０のＥＤＩＤデータ処理部１は、第２表示装置２０にアクセスし、第２表示装置２０のＥＤＩＤデータ処理部１の所定の記憶領域に格納された表示装置２０、３０、４０における最適表示仕様情報を読み取る。
【００５８】
ステップ６において、第１表示装置１０のＥＤＩＤデータ処理部１は、表示装置２０、３０、４０における表示仕様情報を読み取ったとき、第１表示装置１０における表示仕様情報と、表示装置２０、３０、４０における表示仕様情報に共通する最適表示仕様情報を生成（選択）し、そのＥＤＩＤデータ処理部１内部の記憶領域のうち、映像配信装置６０により読み出しが可能な記憶領域（所定の記憶領域）に格納する。格納された最適表示仕様情報は、４台の表示装置１０、２０、３０、４０に同時に表示するための表示仕様情報である。第１表示装置１０のＥＤＩＤデータ処理部１は、最適表示仕様情報を格納したとき、格納完了通知を映像配信装置６０に出力する。映像配信装置６０は、格納完了通知を受けて、第１表示装置１０のＥＤＩＤデータ処理部１内部の所定の記憶領域から、上記の最適表示仕様情報を読み取る。このとき、映像配信装置６０は、読み取った最適表示仕様情報を参照して、表示装置１０、２０、３０、４０の各々に表示する共通の映像信号を第１表示装置１０に送信する。
【００５９】
このように、本発明の表示システムでは、第Ｎ表示装置４０のＥＤＩＤデータ処理部１は、自己がＮ番目（Ｎは２以上の整数）の表示装置であると認識した場合、第Ｎ表示装置４０のＥＤＩＤ格納ＥＥＰＲＯＭ２から第Ｎ表示仕様情報を読み出し、第Ｎ最適表示仕様情報として第Ｎ表示装置４０のＥＤＩＤデータ処理部１の記憶領域に格納する。
第Ｊ表示装置｛１≦Ｊ≦（Ｎ−１）｝のＥＤＩＤデータ処理部１は、自己がＪ番目の表示装置であると認識した場合、第Ｊ表示装置のＥＤＩＤ格納ＥＥＰＲＯＭ２から第Ｊ表示仕様情報を読み出し、第（Ｊ＋１）表示装置のＥＤＩＤデータ処理部１の記憶領域から第（Ｊ＋１）最適表示仕様情報を読み出す。その後、第Ｊ表示装置のＥＤＩＤデータ処理部１は、第Ｊ表示仕様情報と第（Ｊ＋１）最適表示仕様情報とに共通する第Ｊ最適表示仕様情報を生成（もしくは選択）し、第Ｊ最適表示仕様情報を第Ｊ表示装置のＥＤＩＤデータ処理部１の記憶領域に格納する。
また、第１表示装置１０のＥＤＩＤデータ処理部１は、自己が１番目の表示装置であると認識している場合、第１最適表示仕様情報を第１表示装置のＥＤＩＤデータ処理部１の記憶領域に格納したとき、格納完了通知を映像配信装置６０に出力する。これにより、映像配信装置６０は、格納完了通知を受けて、第１表示装置１０のＥＤＩＤデータ処理部１の記憶領域から、第１最適表示仕様情報を読み取る。このとき、映像配信装置６０は、第１最適表示仕様情報を参照して、Ｎ個の表示装置１０、２０、３０、４０の各々に同時表示を実行することが可能な共通の映像信号を第１表示装置１０に出力することができる。
【００６０】
この場合、映像配信装置６０は、上記の映像信号を第１映像信号として第１表示装置１０に出力する。このとき、第Ｊ表示装置｛１≦Ｊ≦（Ｎ−１）｝の映像信号処理部３は、第Ｊ映像信号を受信して第Ｊ表示装置のディスプレイ７に表示すると共に、第Ｊ映像信号を第（Ｊ＋１）映像信号として第（Ｊ＋１）表示装置に送信する。第Ｎ表示装置の映像信号処理部３は、第Ｎ映像信号を受信して第Ｎ表示装置のディスプレイ７に表示する。
【００６１】
また、本発明の表示システムによれば、表示装置を１番目からＮ番目（Ｎは２以上の整数）までこの順に直列に接続することができるので、接続する表示装置をいくらでも増やすことができ、汎用性に優れている。
【００６２】
以下に図面を使用して、本発明の表示システムにおける動作を、更に具体的に説明する。
【００６３】
例えば表示装置が２台であり、第１表示装置１０が、第１表示装置１０と第２表示装置２０とに対して、周波数に関する最適表示仕様情報を生成する場合について説明する。図４Ａは、第１表示装置１０のＥＤＩＤ格納ＥＥＰＲＯＭ２に格納された周波数情報テーブルであり、第１表示装置１０における周波数に関する表示仕様情報を示している。図４Ｂは、第２表示装置２０のＥＤＩＤ格納ＥＥＰＲＯＭ２に格納された周波数情報テーブルであり、第２表示装置２０における周波数に関する表示仕様情報を示している。
【００６４】
図４Ａを参照すると、第１表示装置１０におけるMinimum垂直周波数６１は“５０Ｈｚ”であり、Maximum垂直周波数６２は“１２０Ｈｚ”である。また、第１表示装置１０におけるMinimum水平周波数６３は“２４Ｈｚ”であり、Maximum水平周波数６４は“６９Ｈｚ”である。さらに第１表示装置１０におけるMaximumピクセルクロック周波数６５は“１０８Ｈｚ”であることが示されている。同様に図４Ｂを参照すると、第２表示装置２０におけるMinimum垂直周波数６１は“５０Ｈｚ”であり、Maximum垂直周波数６２は“１２０Ｈｚ”である。また、第２表示装置２０におけるMinimum水平周波数６３は“２４Ｈｚ”であり、Maximum水平周波数６４は“１０９Ｈｚ”である。さらに第２表示装置２０におけるMaximumピクセルクロック周波数６５は“２３０Ｈｚ”であることが示されている。
【００６５】
図５は、第１表示装置１０のＥＤＩＤデータ処理部１により生成される対応テーブルであり、最適表示仕様情報を示している。まず、第１表示装置１０のＥＤＩＤデータ処理部１は、第１表示装置１０のＥＤＩＤ格納ＥＥＰＲＯＭ２に格納されている周波数に関する表示仕様情報（図４Ａ）と、第２表示装置２０のＥＤＩＤデータ処理部１の所定の記憶領域に格納された周波数に関する表示仕様情報（図４Ｂ）と、最適表示仕様情報である判定出力データとを対応させた対応テーブルを生成する。
【００６６】
判定出力データは、第１表示装置１０と第２表示装置２０にとって最適なデータ（表示仕様情報）であり、Minimum垂直周波数６１、Maximum垂直周波数６２、Minimum水平周波数６３、Maximum水平周波数６４、Maximumピクセルクロック周波数６５を含んでいる。第１表示装置１０のＥＤＩＤデータ処理部１は、対応テーブルを参照して、Minimum垂直周波数６１、Maximum垂直周波数６２、Minimum水平周波数６３について、それぞれ“５０Ｈｚ”、“１２０Ｈｚ”、“２４Ｈｚ”を判定出力データとして選択する。第１表示装置１０のＥＤＩＤデータ処理部１は、対応テーブルを参照して、Maximum水平周波数６４については、第１表示装置１０が、第２表示装置２０のMaximum水平周波数６４“１０９Ｈｚ”では適切な映像を出力できないと判断し、第１表示装置１０のMaximum水平周波数６４“６９Ｈｚ”を判定出力データとして選択する。第１表示装置１０のＥＤＩＤデータ処理部１は、対応テーブルを参照して、Maximumピクセルクロック周波数６５については、第１表示装置１０が、第２表示装置２０のMaximumピクセルクロック周波数６５“２３０Ｈｚ”では適切な映像を出力できないと判断し、第１表示装置１０のMaximumピクセルクロック周波数６５“１０８Ｈｚ”を判定出力データとして選択する。
【００６７】
このように、第１表示装置１０のＥＤＩＤデータ処理部１は、Minimum垂直周波数６１、Maximum垂直周波数６２、Minimum水平周波数６３、Maximum水平周波数６４、Maximumピクセルクロック周波数６５に対して、第１表示装置１０と第２表示装置２０にとって最適な判定出力データである最適表示仕様情報を生成する。第１表示装置１０のＥＤＩＤデータ処理部１は、作成した最適表示仕様情報を、そのＥＤＩＤデータ処理部１内部の所定の記憶領域に格納する。これによって、映像配信装置６０は、第１表示装置１０のＥＤＩＤデータ処理部１内部の所定の記憶領域から最適表示仕様情報を読み取る。その結果、映像配信装置６０は、最適表示仕様情報を参照して、各表示装置に同時表示を実行することが可能な共通の映像信号を第１表示装置１０に出力することができる。
【００６８】
例えば表示装置が２台であり、第１表示装置１０が、第１表示装置１０と第２表示装置２０とに対して、解像度に関する最適表示仕様情報を生成する場合について説明する。図６Ａは、第１表示装置１０のＥＤＩＤ格納ＥＥＰＲＯＭ２に格納された解像度情報テーブルであり、第１表示装置１０における解像度６７とその優先度６６とを対応付ける表示仕様情報を示している。図６Ｂは、第２表示装置２０のＥＤＩＤ格納ＥＥＰＲＯＭ２に格納された解像度情報テーブルであり、第２表示装置２０における解像度６７とその優先度６６とを対応付ける表示仕様情報を示している。解像度６７は表示装置が表示可能な解像度を示し、優先度６６はその表示装置がその解像度で映像を表示する場合の優先度を示している。
【００６９】
図６Ａを参照すると、第１表示装置１０において、１番目の優先度６６に対して解像度６７は“１３６０×７６８”であり、２番目の優先度６６に対して解像度６７は“８４８×４８０”である。３番目の優先度６６に対して解像度６７は“１２８０×７６８”であり、４番目の優先度６６に対して解像度６７は“１０２４×７６８”であり、５番目の優先度６６に対して解像度６７は“１２８０×７２０”である。同様に図６Ｂを参照すると、第２表示装置２０において、１番目の優先度６６に対して解像度６７は“１０２４×７６８”であり、２番目の優先度６６に対して解像度６７は“８４８×４８０”である。３番目の優先度６６に対して解像度６７は“１２８０×７６８”であり、４番目の優先度６６に対して解像度６７は“１２８０×７２０”であり、５番目の優先度６６に対して解像度６７は“１６００×１２００”である。
【００７０】
図７は、第１表示装置１０のＥＤＩＤデータ処理部１により生成される対応テーブルであり、最適表示仕様情報を示している。まず、第１表示装置１０のＥＤＩＤデータ処理部１は、第１表示装置１０のＥＤＩＤ格納ＥＥＰＲＯＭ２に格納されている解像度に関する表示仕様情報（図６Ａ）と、第２表示装置２０のＥＤＩＤデータ処理部１の所定の記憶領域に格納された解像度に関する表示仕様情報（図６Ｂ）と、最適表示仕様情報である判定出力データとを対応させた対応テーブルを生成する。
【００７１】
判定出力データは、第１表示装置１０と第２表示装置２０にとって最適なデータ（表示仕様情報）であり、優先度６６に対応する第１解像度７１、第２解像度７２、第３解像度７３、第４解像度７４、第５解像度７５を含んでいる。第１表示装置１０のＥＤＩＤデータ処理部１は、対応テーブルを参照して、優先する詳細な解像度を判断する。第１表示装置１０のＥＤＩＤデータ処理部１は、第１表示装置１０と第２表示装置２０とで共通する第２解像度７２“８４８×４８０”を、お互いの最優先解像度と判断し、判定出力データの第１解像度７１を“８４８×４８０”とする。また、第１表示装置１０のＥＤＩＤデータ処理部１は、第１表示装置１０と第２表示装置２０とで共通する第３解像度７３“１２８０×７６８”を、お互いの２番目の優先解像度と判断し、判定出力データの第２解像度７２を“１２８０×７６８”とする。
【００７２】
さらに、第１表示装置１０のＥＤＩＤデータ処理部１は、第１表示装置１０における第４解像度７４“１０２４×７６８”が、第２表示装置２０における第１解像度７１と同じであると判断し、判定出力データの第３解像度７３を“１０２４×７６８”とする。また、第１表示装置１０における第５解像度７５“１２８０×７２０”が、第２表示装置２０における第４解像度７４と同じであると判断し、判定出力データの第４解像度７４を“１２８０×７２０”とする。さらに、第１表示装置１０における第１解像度７１“１３６０×７６８”について、第２表示装置２０における第５解像度７５により対応可能であることもふまえ、判定出力データの第５解像度７５を“１３６０×７６８”とする。
【００７３】
このように、第１表示装置１０のＥＤＩＤデータ処理部１は、第１解像度７１、第２解像度７２、第３解像度７３、第４解像度７４、第５解像度７５に対して、第１表示装置１０と第２表示装置２０にとって最適な判定出力データである最適表示仕様情報を生成する。第１表示装置１０のＥＤＩＤデータ処理部１は、作成した最適表示仕様情報を、そのＥＤＩＤデータ処理部１内部の所定の記憶領域に格納する。これによって、映像配信装置６０は、第１表示装置１０のＥＤＩＤデータ処理部１内部の所定の記憶領域から最適表示仕様情報を読み取る。その結果、映像配信装置６０は、最適表示仕様情報を参照して、各表示装置に同時表示を実行することが可能な共通の映像信号を第１表示装置１０に出力することができる。
【００７４】
以上の説明により、本発明の表示システムによれば、表示装置を１番目からＮ番目（Ｎは２以上の整数）までこの順に直列に接続することができるので、接続する表示装置をいくらでも増やすことができる。また、本発明の表示システムによれば、上述の理由により、映像配信装置６０は、最適表示仕様情報を参照して、接続された表示装置１０、２０、３０、４０の各々に同時表示を実行することが可能な共通の映像信号を第１表示装置１０に出力することができる。
したがって、本発明の表示システムによれば、汎用性があり、且つ、接続された表示装置１０、２０、３０、４０の各々に同時表示を実行することが可能な共通の映像信号を出力することができる。
【００７５】
図２の実施例では、第Ｊ表示装置の映像信号出力端子６は第（Ｊ＋１）表示装置の映像信号入力端子５に接続されている。この入出力端子を介して第Ｊ表示装置のデータ処理部１は第（Ｊ＋１）表示装置の記憶部から第（Ｊ＋１）最適表示仕様情報を呼び出す。さらに、第Ｊ表示装置の映像信号処理部３は、第Ｊ表示装置の映像信号入力端子５を介して受信した第Ｊ映像信号を受信して第Ｊ表示装置のディスプレイ７に表示するとともに、第Ｊ映像信号を第（Ｊ＋１）映像信号として入出力端子を介して第（Ｊ＋１）表示装置に送信する。すなわち、この入出力端子を介して最適表示仕様情報と映像信号を送信、受信している。しかし、映像信号は必ずしもこの入出力端子を介して送信、受信する必要はない。図１のように、映像配信装置６０から映像信号を、ビデオ信号分配回路を介して各表示装置、例えば第Ｊ表示装置、第（Ｊ＋１）表示装置のそれぞれの映像信号入力端子５に送信することもできる。映像配信装置６０に接続される表示装置の数が多い場合、映像信号を第１表示装置から最終番目の表示装置まで直列に接続すると、第１表示装置と最終番目の表示装置との間での映像信号の遅延が大きくなる。このような場合は、最適表示仕様情報が最終番目の表示装置から第１表示装置まで順に送信される一方、接続された表示装置の各々に表示する共通の映像信号が決まったら、映像配信装置６０から映像信号を、ビデオ信号分配回路を介して各表示装置の映像信号入力端子５に並列に送信することが望ましい。
【図面の簡単な説明】
【００７６】
【図１】図１は、従来の表示システムの構成を示すブロック図である。
【図２】図２は、本発明の表示システムの構成を示すブロック図である。
【図３】図３は、本発明の表示システムの動作を示すフローチャートである。
【図４Ａ】図４Ａは、第１表示装置１０のＥＤＩＤ格納ＥＥＰＲＯＭ２に格納された周波数情報テーブルであり、第１表示装置１０における周波数に関する表示仕様情報を示している。
【図４Ｂ】図４Ｂは、第２表示装置２０のＥＤＩＤ格納ＥＥＰＲＯＭ２に格納された周波数情報テーブルであり、第２表示装置２０における周波数に関する表示仕様情報を示している。
【図５】図５は、第１表示装置１０のＥＤＩＤデータ処理部１により生成される対応テーブルであり、最適表示仕様情報を示している。
【図６Ａ】図６Ａは、第１表示装置１０のＥＤＩＤ格納ＥＥＰＲＯＭ２に格納された解像度情報テーブルであり、第１表示装置１０における解像度６７とその優先度６６とを対応付ける表示仕様情報を示している。
【図６Ｂ】図６Ｂは、第２表示装置２０のＥＤＩＤ格納ＥＥＰＲＯＭ２に格納された解像度情報テーブルであり、第２表示装置２０における解像度６７とその優先度６６とを対応付ける表示仕様情報を示している。
【図７】図７は、第１表示装置１０のＥＤＩＤデータ処理部１により生成される対応テーブルであり、最適表示仕様情報を示している。
【符号の説明】
【００７７】
１    ＥＤＩＤデータ処理部
２    ＥＤＩＤ格納ＥＥＰＲＯＭ
３    映像信号処理部
４    ディスプレイモジュール部
５    映像信号入力端子
６    映像信号出力端子
７    ディスプレイ
１０    第１表示装置
２０    第２表示装置
３０    第３表示装置
４０    第４表示装置
６１    Minimum垂直周波数
６２    Maximum垂直周波数
６３    Minimum水平周波数
６４    Maximum水平周波数
６５    Maximumピクセルクロック周波数
６６    優先度
６７    解像度
７１    第１解像度
７２    第２解像度
７３    第３解像度
７４    第４解像度
７５    第５解像度
【図１】
2005309402.tif 000003
【図２】
2005309402.tif 000004
【図３】
2005309402.tif 000005
【図４Ａ】
2005309402.tif 000006
【図４Ｂ】
2005309402.tif 000007
【図５】
2005309402.tif 000008
【図６Ａ】
2005309402.tif 000009
【図６Ｂ】
2005309402.tif 000010
【図７】
2005309402.tif 000011